(57)【特許請求の範囲】
【請求項１】
ケーブルの一端に接続されたケーブルコネクターが着脱自在に接続される第１入出力部と、
前記ケーブルコネクターが着脱自在に接続可能である基板に設けられた基板コネクターに着脱自在に接続され、前記第１入出力部と電気的に接続される第２入出力部と、
前記第１入出力部と前記第２入出力部との間を流れる信号によって輻射されるノイズを抑制するコアと、
を備え、
前記第１入出力部は、前記コアに設けられ、前記ケーブルコネクターの端子と嵌合する端子であり、
前記第２入出力部は、前記コアに設けられ、前記基板コネクターの端子と嵌合する端子であり、
前記第１入出力部及び前記第２入出力部のうち何れか一方のメス端子は、前記コアの表面に開口部を有するように設けられている中継コネクター。
【発明の詳細な説明】
【技術分野】
【０００１】
本発明は、ケーブルに流れる電流により輻射されるノイズを抑制する中継コネクターに関する。
【背景技術】
【０００２】
従来から、電子機器の基板に接続されたケーブルに信号が流れることにより、ノイズが輻射されることが知られている。そこで、当該ノイズを抑制する所謂ＥＭＩ（Ｅｌｅｃｔｒｏ  Ｍａｇｎｅｔｉｃ  Ｉｎｔｅｒｆｅｒｅｎｃｅ）対策として、筒状のコアにケーブルを挿通させる、或いは、ボビン状のコアにケーブルを巻き付ける等して、ケーブルにコアを取り付けることが知られている。【０００３】
また、例えば下記特許文献１及び２に記載のように、ケーブルを挟み込むコアとケーブルコネクターとを一体化させて、電子機器内におけるコアの取り付けスペースを軽減する技術が知られている。
【先行技術文献】
【特許文献】
【０００４】
【特許文献１】特開平１０−１４４４０７号公報
【特許文献２】特開２００５−１２３２６６号公報
【発明の概要】
【０００５】
ケーブルに流れる信号の周波数に応じて輻射されるノイズの周波数は異なる。このため、上述の従来技術を採用する場合、ケーブルに流れる信号の仕様に応じて、ケーブルに取り付けるコアの種類を変更したり、ケーブルをコアに巻き付ける回数を異ならせる等して、コアによって抑制させるノイズの周波数を予め調整しておく必要がある。しかし、製品出荷後、電子機器に接続された周辺機器から伝搬したノイズの影響を受ける等して、ケーブルから輻射されるノイズの周波数が予め想定していた周波数と異なる虞がある。この場合、コアによって抑制させるノイズの周波数を再調整する必要がある。
【０００６】
このように、コアによって抑制させるノイズの周波数を再調整する必要が生じた場合、上記特許文献１及び２に記載の技術では、ケーブルコネクターにコアが内蔵されているので、ケーブルコネクターを分解してコアの種類を変更する手間が必要になる。或いは、ケーブル自体を、異なる種類のコアが内蔵されたケーブルコネクターを備えたケーブルに取り換える手間が必要になる。また、既に製品に組み込まれているケーブルのケーブル長を変更することは困難であるため、ケーブルをコアに巻き付ける回数を変更することによって、上記再調整を行うことは困難である。
【０００７】
本発明の目的は、抑制する対象のノイズの周波数を容易に再調整することができる中継コネクターを提供することにある。
【課題を解決するための手段】
【０００８】
本発明の一局面に係る中継コネクターは、ケーブルの一端に接続されたケーブルコネクターが着脱自在に接続される第１入出力部と、前記ケーブルコネクターが着脱自在に接続可能である基板に設けられた基板コネクターに着脱自在に接続され、前記第１入出力部と電気的に接続される第２入出力部と、前記第１入出力部と前記第２入出力部との間を流れる信号によって輻射されるノイズを抑制するコアと、を備え、前記第１入出力部は、前記コアに設けられ、前記ケーブルコネクターの端子と嵌合する端子であり、前記第２入出力部は、前記コアに設けられ、前記基板コネクターの端子と嵌合する端子であり、前記第１入出力部及び前記第２入出力部のうち何れか一方のメス端子は、前記コアの表面に開口部を有するように設けられている。
【０００９】
本発明によれば、抑制する対象のノイズの周波数を容易に再調整することができる中継コネクターが提供される。
【図面の簡単な説明】
【００１０】
【図１Ａ】図１Ａは、本発明の第一実施形態に係る中継コネクターの斜視図である。
【図１Ｂ】図１Ｂは、本発明の第一実施形態に係る中継コネクターのｂ−ｂ方向からの断面図である。
【図２】図２は、本発明の第二実施形態に係る中継コネクターの斜視図である。
【図３Ａ】図３Ａは、本発明の第一変形実施形態に係るコアを示す図である。
【図３Ｂ】図３Ｂは、本発明の第二変形実施形態に係るコアを示す図である。
【図４Ａ】図４Ａは、本発明の第三変形実施形態に係るコアを示す図である。
【図４Ｂ】図４Ｂは、本発明の第三変形実施形態に係るコアが延長ケーブルに取り付けられている態様を示す図である。
【発明を実施するための形態】
【００１１】
（第一実施形態）
以下、本発明の第一実施形態に係る中継コネクターを図面に基づいて説明する。図１Ａは、本発明の第一実施形態に係る中継コネクターを示す斜視図である。図１Ｂは、本発明の第一実施形態に係る中継コネクターのｂ−ｂ方向からの断面図である。図１Ａに示すように、ケーブル９１は、例えば５本の信号線９１１と、５本の信号線９１１を被覆する被覆部９１２と、を備えている。ケーブル９１の一端には、ケーブルコネクター９２が接続されている。
【００１２】
ケーブルコネクター９２は、本体部９２１と、５本のオス端子９２２と、を備えている。本体部９２１は、直方体状に形成されている。オス端子９２２は、本体部９２１の底面から突出するピン状の端子である。５本のオス端子９２２は、互いに所定の間隔を置いて、本体部９２１の底面における長尺方向（図１に示すＸ方向）に一列に配列されている。ケーブル９１の５本の信号線９１１は、本体部９２１の上面に開口部を有する不図示の挿入路に挿入され、本体部９２１の内部において、５本のオス端子９２２の不図示の一端にそれぞれ接続されている。
【００１３】
以下、本体部９２１の上面及び底面における長尺方向をＸ方向と示す。本体部９２１の上面及び底面における短尺方向をＹ方向と示す。本体部９２１の高さ方向をＺ方向と示す。
【００１４】
一方、コピー機、プリンター、ファクシミリ装置、複合機等の画像形成装置や、携帯電話、ゲーム機等の電子機器の基板９４には、ケーブルコネクター９２を着脱自在に接続するために、基板コネクター９３が設けられている。
【００１５】
基板コネクター９３は、本体部９３１と、例えば５つのメス端子９３２と、を備えている。
【００１６】
本体部９３１は、上面を開口部とし、直方体状の中空部９３１ａを有した箱状に形成されている。中空部９３１ａのＸ方向の長さは、ケーブルコネクター９２の本体部９２１のＸ方向の長さよりも長くなっている。中空部９３１ａのＹ方向の長さは、ケーブルコネクター９２の本体部９２１のＹ方向の長さよりも長くなっている。中空部９３１ａのＺ方向の長さは、ケーブルコネクター９２の本体部９２１のＺ方向の長さよりも長くなっている。
【００１７】
メス端子９３２は、本体部９３１の底面部における上面（中空部９３１ａの底面に当接する面）に開口部９３２ａを有する凹状の端子である。５つの開口部９３２ａは、互いにケーブルコネクター９２のオス端子９２２同士の間隔と同じ間隔を置いて、Ｘ方向に一列に配列されている。メス端子９３２のＺ方向の長さ（深さ）は、ケーブルコネクター９２のオス端子９２２が本体部９２１の底面からＺ方向に突出している部分の長さと同じである。このようにして、５つのメス端子９３２は、ケーブルコネクター９２の５本のオス端子９２２にそれぞれ嵌合するように構成されている。メス端子９３２の開口部９３２ａとは反対側の一端は、基板９４内に設けられた信号線９４ａに接続されている。
【００１８】
したがって、ケーブルコネクター９２の５本のオス端子９２２と基板コネクター９３の５つのメス端子９３２とを嵌合させることにより、ケーブルコネクター９２を着脱自在に基板コネクター９３に接続することができる。また、ケーブルコネクター９２を基板コネクター９３に接続した場合に、本体部９３１の中空部９３１ａにケーブルコネクター９２を収容することができる。
【００１９】
これに合わせて、本発明の第一実施形態に係る中継コネクター１は、図１Ａ及び図１Ｂに示すように、ケーブルコネクター９２の５本のオス端子９２２に対応する５つのメス端子１１（第１入出力部）と、５本のオス端子１２（第２入出力部）と、直方体状に形成されたコア１３と、を備えている。
【００２０】
メス端子１１は、コア１３の上面（表面）に開口部１１ａを有する凹状の端子である。５つの開口部１１ａは、互いにケーブルコネクター９２のオス端子９２２同士の間隔と同じ間隔を置いて、Ｘ方向に一列に配列されている。メス端子１１のＺ方向の長さ（深さ）は、ケーブルコネクター９２のオス端子９２２が本体部９２１の底面からＺ方向に突出している部分の長さと同じである。このようにして、５つのメス端子１１は、ケーブルコネクター９２の５本のオス端子９２２にそれぞれ嵌合するように構成されている。
【００２１】
したがって、ケーブルコネクター９２の５本のオス端子９２２と５つのメス端子１１とを嵌合させることにより、ケーブルコネクター９２を着脱自在に５つのメス端子１１に接続することができる。また、ケーブルコネクター９２を５つのメス端子１１に接続した場合に、ケーブルコネクター９２の底面とコア１３の上面とを当接させることができる。
【００２２】
オス端子１２は、コア１３の底面から突出するピン状の端子である。５本のオス端子１２は、互いに基板コネクター９３のメス端子９３２同士の間隔と同じ間隔を置いて、Ｘ方向に一列に配列されている。オス端子１２がコア１３の底面からＺ方向に突出している部分の長さは、基板コネクター９３のメス端子９３２のＺ方向の長さ（深さ）と同じである。このようにして、５本のオス端子１２は、基板コネクター９３の５つのメス端子９３２にそれぞれ嵌合するように構成されている。
【００２３】
したがって、５本のオス端子１２と基板コネクター９３の５つのメス端子９３２とを嵌合させることにより、５本のオス端子１２を着脱自在に基板コネクター９３に接続することができる。また、５本のオス端子１２を基板コネクター９３に接続した場合に、本体部９３１の底面部における上面（中空部９３１ａの底面に当接する面）とコア１３の底面とを当接させることができる。
【００２４】
また、図１Ｂに示すように、コア１３の内部において、メス端子１１とオス端子１２は、信号線１４を用いて電気的に接続されている。つまり、ケーブルコネクター９２のオス端子９２２をメス端子１１に嵌合させ、オス端子１２を基板コネクター９３のメス端子９３２に嵌合させることにより、メス端子１１、信号線１４及びオス端子１２を介して、ケーブル９１から基板９４へ、又は、基板９４からケーブル９１へ信号を流すことが可能となる。
【００２５】
コア１３は、例えばフェライト等の磁性体や樹脂で構成され、図１Ｂに示すように、５つのメス端子１１と５本のオス端子１２の一部を被覆するように構成されている。これにより、コア１３は、ケーブル９１からメス端子１１へ信号が流れ込んだ場合に、又は、基板９４からオス端子１２へ信号が流れ込んだ場合に、メス端子１１とオス端子１２との間で流れる信号によって、メス端子１１、オス端子１２、或いは信号線１４から輻射されるノイズを抑制する。
【００２６】
このように、第一実施形態の構成によれば、５つのメス端子１１をケーブルコネクター９２に着脱自在に接続でき、５本のオス端子１２を基板コネクター９３に着脱自在に接続できる。このため、ケーブルコネクター９２と基板コネクター９３との間に、当該中継コネクター１を容易に取り付けることができる。当該中継コネクター１の取り付け後、基板９４とケーブル９１との間で信号が入出力される場合には、ケーブル９１又は基板９４から流れ込み、メス端子１１とオス端子１２との間を流れる信号によって輻射されるノイズをコア１３によって抑制することができる。
【００２７】
これにより、互いに異なる種類のコアをそれぞれ備えるようにして、当該中継コネクター１を予め複数種類用意し、ケーブルコネクター９２と基板コネクター９３との間に取り付ける中継コネクター１を取り換えるだけで、容易に、抑制する対象のノイズの周波数を再調整することができる。
【００２８】
また、中継コネクター１の取り付け時には、ケーブルコネクター９２のオス端子９２２がコア１３の内部に入りこむように接続される。また、ケーブルコネクター９２の底面とコア１３の上面とが当接し、基板コネクター９３の本体部９３１の底面部における上面（中空部９３１ａの底面に当接する面）とコア１３の底面とが当接する。つまり、ケーブルコネクター９２と中継コネクター１との間、及び、中継コネクター１と基板コネクター９３との間に隙間が存在しなくなる。これにより、当該中継コネクター１の取り付けに必要なスペースを軽減することができる。
【００２９】
また、中継コネクター１の取り付け後、基板９４とケーブル９１との間で信号が入出力される場合には、ケーブルコネクター９２と中継コネクター１との間に隙間が存在しない。このため、ケーブルコネクター９２のオス端子９２２から、当該オス端子９２２に嵌合したメス端子１１を介して輻射されるノイズがコア１３を介さずに外部に伝搬する虞を軽減することができる。
【００３０】
尚、中継コネクター１は、図１Ｂに示す構成に限らない。メス端子１１の下端とオス端子１２の上端とを当接させる、又は、メス端子１１とオス端子１２とを一体的に形成する等して、信号線１４を設けずに、メス端子１１とオス端子１２とを電気的に接続することにより、中継コネクターを構成してもよい。
【００３１】
また、ケーブル９１が備える信号線９１１の数は、５本に限定されない。ケーブル９１が備える信号線９１１の数に応じて、ケーブルコネクター９２のオス端子９２２及び基板コネクター９３のメス端子９３２の数は異なってもよい。これに合わせて、コア１３に備えるメス端子１１及びオス端子１２の数を適宜変更してもよい。
【００３２】
また、ケーブルコネクター９２がオス端子９２２に代えてメス端子を備え、これに合わせて、基板コネクター９３がメス端子９３２に代えてオス端子を有する場合がある。この場合、中継コネクター１のコア１３の上面から突出し、当該ケーブルコネクター９２のメス端子に嵌合するオス端子（第１入出力部）を備えるようにしてもよい。そして、コア１３の底面に開口部を有し、当該基板コネクター９３のオス端子に嵌合するメス端子（第２入出力部）を備えるようにしてもよい。つまり、図１Ａ及び図１Ｂに示した中継コネクター１の上下を反転させ、当該反転後のオス端子１２を当該ケーブルコネクターのメス端子に嵌合するように構成し、当該反転後のメス端子１１を当該基板コネクターのオス端子に嵌合するように構成してもよい。そして、当該反転後のオス端子１２を第１入出力部とし、当該反転後のメス端子１１を第２入出力部として、本発明の一実施形態に係る中継コネクターを構成してもよい。
【００３３】
（第二実施形態）
次に、本発明の第二実施形態に係る中継コネクターを図面に基づいて説明する。図２は、本発明の第二実施形態に係る中継コネクターを示す斜視図である。図２に示すように、本発明の第２実施形態に係る中継コネクター２は、延長ケーブル２４と、第１コネクター２１（第１入出力部）と、第２コネクター２２（第２入出力部）と、コア２３と、を備えている。
【００３４】
延長ケーブル２４は、ケーブル９１と同じ構成であり、不図示の５本の信号線と、当該５本の信号線を被覆する被覆部２４２と、を備えている。
【００３５】
第１コネクター２１は、本体部２１１と、ケーブルコネクター９２の５本のオス端子９２２に対応する５つのメス端子２１２と、を備えている。
【００３６】
本体部２１１は、上面を開口部とし、直方体状の中空部２１１ａを有した箱状に形成されている。中空部２１１ａのＸ方向の長さは、ケーブルコネクター９２の本体部９２１のＸ方向の長さよりも長くなっている。中空部２１１ａのＹ方向の長さは、ケーブルコネクター９２の本体部９２１のＹ方向の長さよりも長くなっている。中空部２１１ａのＺ方向の長さは、ケーブルコネクター９２の本体部９２１のＺ方向の長さよりも長くなっている。
【００３７】
メス端子２１２は、本体部２１１の底面部における上面（中空部２１１ａの底面に当接する面）に開口部２１２ａを有する凹状の端子である。５つの開口部２１２ａは、互いにケーブルコネクター９２のオス端子９２２同士の間隔と同じ間隔を置いて、Ｘ方向に一列に配列されている。メス端子２１２のＺ方向の長さ（深さ）は、ケーブルコネクター９２のオス端子９２２が本体部９２１の底面からＺ方向に突出している部分の長さと同じである。このようにして、５つのメス端子２１２は、ケーブルコネクター９２の５本のオス端子９２２にそれぞれ嵌合するように構成されている。メス端子２１２の開口部２１２ａとは反対側の一端は、延長ケーブル２４の信号線（不図示）の一端に接続されている。
【００３８】
つまり、ケーブルコネクター９２の５本のオス端子９２２と第１コネクター２１の５つのメス端子２１２とを嵌合させることにより、ケーブルコネクター９２を着脱自在に第１コネクター２１に接続することができる。また、ケーブルコネクター９２を第１コネクター２１に接続した場合に、本体部２１１の中空部２１１ａにケーブルコネクター９２を収容することができる。
【００３９】
第２コネクター２２は、本体部２２１と、５本のオス端子２２２と、を備えている。本体部２２１は、直方体状に形成されている。
【００４０】
オス端子２２２は、本体部２２１の底面から突出するピン状の端子である。５本のオス端子２２２は、互いに基板コネクター９３のメス端子９３２同士の間隔と同じ間隔を置いて、Ｘ方向に一列に配列されている。オス端子２２２が本体部２２１の底面からＺ方向に突出している部分の長さは、基板コネクター９３の５つのメス端子９３２のＺ方向の長さ（深さ）と同じである。このようにして、５本のオス端子２２２は、基板コネクター９３の５つのメス端子９３２にそれぞれ嵌合するように構成されている。
【００４１】
つまり、５本のオス端子２２２と基板コネクター９３の５つのメス端子９３２とを嵌合させることにより、第２コネクター２２を着脱自在に基板コネクター９３に接続することができる。
【００４２】
また、延長ケーブル２４の５本の信号線は、本体部２２１の上面に開口部を有する不図示の挿入路に挿入され、本体部２２１の内部において、５本のオス端子２２２の不図示の一端にそれぞれ接続されている。つまり、延長ケーブル２４は、一端が第１コネクター２１に接続され、他端が第２コネクター２２に接続され、第１コネクター２１と第２コネクター２２とを電気的に接続している。
【００４３】
したがって、ケーブルコネクター９２を第１コネクター２１に接続し、第２コネクター２２を基板コネクター９３に接続することにより、第１コネクター２１、延長ケーブル２４及び第２コネクター２２を介して、ケーブル９１から基板９４へ、又は、基板９４からケーブル９１へ信号を流すことが可能となる。
【００４４】
コア２３は、例えば、フェライト等の磁性体や樹脂によって筒状（リング状）に構成され、延長ケーブル２４を挿通させるための中空部２３ａ（挿通路）を有している。中空部２３ａは、第１コネクター２１の側面（図２におけるＹＺ方向の平面）又は第２コネクター２２の側面（図２におけるＹＺ方向の平面）よりも大きいサイズである。つまり、中空部２３ａは、第１コネクター２１及び第２コネクター２２を延長ケーブル２４に接続したまま挿通可能なサイズになっている。
【００４５】
したがって、コア２３の中空部２３ａに延長ケーブル２４を挿通させた後、中空部２３ａを挿通した延長ケーブル２４をコア２３の外周部にターンさせ、当該ターンさせた延長ケーブル２４を再び中空部２３ａに挿通させることにより、延長ケーブル２４をコア２３に巻き付けることができる。尚、中空部２３ａは、第１コネクター２１又は第２コネクター２２の側面（図２におけるＹＺ方向の平面）よりも小さいサイズであってもよい。この場合、延長ケーブル２４のみを中空部２３ａに挿通させ、延長ケーブル２４をコア２３に巻き付けた後に、延長ケーブル２４に第１コネクター２１及び第２コネクター２２を接続してもよい。
【００４６】
このように、コア２３は、延長ケーブル２４に取り付けられている。これにより、コア２３は、ケーブル９１からケーブルコネクター９２を介して第１コネクター２１へ信号が流れ込んだ場合に、又は、基板９４から基板コネクター９３を介して第２コネクター２２へ信号が流れ込んだ場合に、延長ケーブル２４に流れる信号により輻射されるノイズを抑制する。
【００４７】
尚、延長ケーブル２４をコア２３に巻き付けずに、コア２３の中空部２３ａに一度だけ挿通させる、又は、延長ケーブル２４をコア２３に１回以上巻き付け、延長ケーブル２４を中空部２３ａに挿通させる回数（ターン数）を異ならせることにより、コア２３によって延長ケーブル２４に付与されるインピーダンスの大きさを調整することができる。これにより、コア２３によって抑制させる対象のノイズの周波数を調整することができる。
【００４８】
このように、第二実施形態の構成によれば、第１コネクター２１をケーブルコネクター９２に着脱自在に接続でき、第２コネクター２２を基板コネクター９３に着脱自在に接続できる。このため、ケーブルコネクター９２と基板コネクター９３との間に、当該中継コネクター２を容易に取り付けることができる。当該中継コネクター２の取り付け後、基板９４とケーブル９１との間で信号が入出力される場合には、ケーブル９１又は基板９４から流れ込み、延長ケーブル２４を介して第１コネクター２１と第２コネクター２２との間を流れる信号によって輻射されるノイズをコア２３によって抑制することができる。
【００４９】
また、既存のケーブル９１の長さに余裕がなく、ケーブル９１に新たにコアを取り付けたり、当該コアにケーブル９１を巻き付けることが困難な場合に、抑制する対象のノイズの周波数を再調整する必要が生じたとする。この場合、第二実施形態の構成によれば、既存のケーブル９１を取り換えることなく、延長ケーブル２４に取り付けるコア２３の種類を変更する、或いは、延長ケーブル２４をコア２３に巻き付ける回数を調整することにより、容易に、抑制する対象のノイズの周波数を再調整することができる。
【００５０】
尚、ケーブル９１が備える信号線９１１の数は、５本に限定されない。ケーブル９１が備える信号線９１１の数に応じて、ケーブルコネクター９２のオス端子９２２及び基板コネクター９３のメス端子９３２の数は異なってもよい。これに合わせて、第１コネクター２１のメス端子２１２の数、並びに、第２コネクター２２の本体部２２１の挿入路の数及びオス端子２２２の数を適宜変更してもよい。
【００５１】
また、ケーブルコネクター９２がオス端子９２２に代えてメス端子を備え、これに合わせて、基板コネクター９３がメス端子９３２に代えてオス端子を有する場合がある。この場合、図２に示した中継コネクター２の上下を反転させ、当該反転後の第２コネクター２２のオス端子２２２を当該ケーブルコネクターのメス端子に嵌合するように構成し、当該反転後の第１コネクター２１のメス端子を当該基板コネクターのオス端子に嵌合するように構成してもよい。そして、当該反転後の第２コネクター２２を第１コネクターとし、当該反転後の第１コネクター２１を第２コネクターとして、本発明の一実施形態に係る中継コネクターを構成してもよい。
【００５２】
また、図１Ａ、図１Ｂ及び図２に示した構成等は、本発明に係る実施形態の例示に過ぎない。例えば、上記第２実施形態における延長ケーブル２４に取り付けるコア２３を、図３Ａに示すように構成してもよい。つまり、互いに嵌合し合う凸部と凹部の組み合わせを２組（凸部２３１ａと凹部２３２ａの組み合わせ、凸部２３１ｂと凹部２３２ｂの組み合わせ）備えるようにして、コア２３を分割可能に構成してもよい。又は、図３Ｂに示すように、互いに嵌合し合う凸部と凹部の組み合わせを１組（凸部２３１ｃと凹部２３２ｃの組み合わせ）だけ備えるようにしてもよい。そして、コア２３が分割されないように、シール材２３３を貼り付ける、或いは、ヒンジ部を設ける等して、コア２３を開閉可能に構成してもよい。つまり、コア２３を延長ケーブル２４に取り外し可能に構成してもよい。
【００５３】
これらの場合、コア２３の種類を変更すること、及び、延長ケーブル２４をコア２３に巻き付ける回数を変更することが容易となる。また、コア２３の中空部２３ａを、第１コネクター２１及び第２コネクター２２を挿通することのできない小さいサイズにすることができる。これにより、コア２３のサイズを小さくすることができ、中継コネクター２の取り付けスペースを軽減することができる。
【００５４】
又は、コア２３を、筒状の構成に限らず、図４Ａに示すようにボビン状に構成し、図４Ｂに示すように延長ケーブル２４を巻き付け可能に構成してもよい。このようにして、コア２３を延長ケーブル２４に取り外し可能に構成してもよい。
【００５５】
この場合も、コア２３の種類を変更すること、及び、延長ケーブル２４をコア２３に巻き付ける回数を変更することが容易となる。
【図１Ａ】
0005994032.tif 000002
【図１Ｂ】
0005994032.tif 000003
【図２】
0005994032.tif 000004
【図３Ａ】
0005994032.tif 000005
【図３Ｂ】
0005994032.tif 000006
【図４Ａ】
0005994032.tif 000007
【図４Ｂ】
0005994032.tif 000008